(57)【要約】      （修正有）【課題】水耕栽培の持ついくつかの課題を考慮した水耕栽培用プランター用ラックを提供する。【解決手段】水耕栽培用プランター用ラックは、水平方向に２列、および鉛直方向に複数段のプランター設置用スペースを有し、水平方向の２列は、各プランター設置用スペースの長手方向が略平行に並び、各段において、水平方向２列のプランター設置用スペース間は連通状態であり、且つ鉛直方向において、水平方向２列のプランター設置用スペース間は、接地面より最上段まで連通状態であり、水平方向２列のプランター設置用スペース間に１または複数の中央支柱２ａ、２ｂ、２ｃ、２ｄが設けられ、各プランター設置用棚５における水耕栽培用プランターの接地面は、各プランター設置用スペースの長手方向に垂直な鉛直面内において、中央支柱２ａ、２ｂ、２ｃ、２ｄ側が高くなるように傾斜している。【選択図】図１
2019103424.tif 000002
【特許請求の範囲】
【請求項１】
水平方向に２列、および鉛直方向に複数段のプランター設置用スペースを有し、
上記各プランター設置用スペースは、下部に水耕栽培用プランターを設置できるプランター設置棚と、上部に植物生育用の光源と、を備え、
水平方向の２列は、上記各プランター設置用スペースの長手方向が略平行に並び、
各段において、水平方向２列の上記プランター設置用スペース間は連通状態であり、
且つ鉛直方向において、水平方向２列の上記プランター設置用スペース間は、接地面より最上段まで連通状態であり、
水平方向２列の上記プランター設置用スペース間に１または複数の中央支柱が設けられ、
上記各プランター設置棚は、上記中央支柱より支持される梁により支持される水耕栽培用プランター用ラックと、
上記各プランター設置棚上に設置された水耕栽培用プランターと
を備え、
上記各プランター設置棚に上記水耕栽培用プランターを設置した際、上記各プランター設置用スペースの長手方向に垂直な鉛直面内において、上記水耕栽培用プランターは上記中央支柱側が高くなるように傾斜している
ことを特徴とする水耕栽培システム。
【請求項２】
上記水耕栽培用プランター用ラックの接地面近傍に、環境温度より高温となる熱源を設置する
ことを特徴とする請求項１に記載の水耕栽培システム。
【請求項３】
上記熱源は、植物生育用の光源の電源である
ことを特徴とする請求項２に記載の水耕栽培システム。
【請求項４】
上記水耕栽培用プランター用ラックの最上段、または当該水耕栽培用プランター用ラック上方の天井面に乾燥剤を設置する
ことを特徴とする請求項１から３のいずれかに記載の水耕栽培システム。
【請求項５】
水平方向に２列、および鉛直方向に複数段のプランター設置用スペースを有し、
上記各プランター設置用スペースは、下部に水耕栽培用プランターを設置できるプランター設置棚と、上部に植物生育用の光源と、を備え、
水平方向の２列は、上記各プランター設置用スペースの長手方向が略平行に並び、
各段において、水平方向２列の上記プランター設置用スペース間は連通状態であり、
且つ鉛直方向において、水平方向２列の上記プランター設置用スペース間は、接地面より最上段まで連通状態であり、
水平方向２列の上記プランター設置用スペース間に１または複数の中央支柱が設けられ、
上記各プランター設置棚における水耕栽培用プランターの接地面は、上記各プランター設置用スペースの長手方向に垂直な鉛直面内において、上記中央支柱側が高くなるように傾斜している
ことを特徴とする水耕栽培用プランター用ラック。
【発明の詳細な説明】
【技術分野】
【０００１】
本発明は、水耕栽培プランターに用いるラック、およびそれを用いた水耕栽培システムに関するものである。
【背景技術】
【０００２】
床面積に比して収穫量を最大化するために、植物工場等で用いられている水耕栽培プランターは、多段に積まれて設置されることが一般的である。この際に、水耕栽培プランター用ラックが使用される。
【０００３】
従来の水耕栽培用ラックは、外形が箱型の骨格を持つ筐体内に多段の棚を設けて、プランター、養液循環系、照明等を配置したものである。養液循環タンクやポンプは最下段に配置され、上の棚に多段に配置されたプランターに養液を循環させる（例えば、特許文献１）。
【先行技術文献】
【特許文献】
【０００４】
【特許文献１】特開２０１７−１２１１５
【発明の概要】
【発明が解決しようとする課題】
【０００５】
特許文献１に開示されている水耕栽培用ラックは、レイアウトが変更しやすく、多目的に使用できるという利点を有している。しかし、植物の生育環境を考慮したものではなく、また、養液の交換等を考慮したものではなかった。
【０００６】
植物はデリケートであり、温度や湿度、二酸化炭素濃度等に影響され、環境の変化、悪化により、成長不良やチップバーン等の障害を起こしやすい。特に、水耕栽培プランターを多段に設置する際には、段により高さが変わるため、環境が段ごとに微妙に変化し、均一な成長や品質が得られないことも多い。
【０００７】
また、最近の水耕栽培では、成長に応じて養液を入れ替える等の高度な養液制御を行うこともある。養液の入れ替えの際には、前の養液を完全に排水してから、新たな養液を入れることが望ましい。例えば、野菜に含まれる硝酸態窒素は、苦みの原因となり、健康に対する悪影響も懸念される。この硝酸態窒素を減少させるためには、収穫直前に窒素を含まない養液に入れ替えて所定の日数栽培を行う。しかし、窒素を含む前の養液が微量でも混入すると、硝酸態窒素が十分に減少しない。
したがって、水耕栽培プランター（養液槽）の養液の排水等も考慮したラックが望まれている。
【０００８】
本発明は、上記のような問題点を解決するためになされたものであり、植物の健全な成長を可能とし、さらに、養液の交換をも容易にするものである。
【課題を解決するための手段】
【０００９】
本発明に係る水耕栽培システムは、
水平方向に２列、および鉛直方向に複数段のプランター設置用スペースを有し、
上記各プランター設置用スペースは、下部に水耕栽培用プランターを設置できるプランター設置棚と、上部に植物生育用の光源と、を備え、
水平方向の２列は、上記各プランター設置用スペースの長手方向が略平行に並び、
各段において、水平方向２列の上記プランター設置用スペース間は連通状態であり、
且つ鉛直方向において、水平方向２列の上記プランター設置用スペース間は、接地面より最上段まで連通状態であり、
水平方向２列の上記プランター設置用スペース間に１または複数の中央支柱が設けられ、
上記各プランター設置棚は、上記中央支柱より支持される梁により支持される水耕栽培用プランター用ラックと、
上記各プランター設置棚上に設置された水耕栽培用プランターと
を備え、
上記各プランター設置棚に上記水耕栽培用プランターを設置した際、上記各プランター設置用スペースの長手方向に垂直な鉛直面内において、上記水耕栽培用プランターは上記中央支柱側が高くなるように傾斜している
ことを特徴とするものである。
【００１０】
本発明に係る水耕栽培用プランター用ラックは、
水平方向に２列、および鉛直方向に複数段のプランター設置用スペースを有し、
上記各プランター設置用スペースは、下部に水耕栽培用プランターを設置できるプランター設置棚と、上部に植物生育用の光源と、を備え、
水平方向の２列は、上記各プランター設置用スペースの長手方向が略平行に並び、
各段において、水平方向２列の上記プランター設置用スペース間は連通状態であり、
且つ鉛直方向において、水平方向２列の上記プランター設置用スペース間は、接地面より最上段まで連通状態であり、
水平方向２列の上記プランター設置用スペース間に１または複数の中央支柱が設けられ、
上記各プランター設置棚における水耕栽培用プランターの接地面は、上記各プランター設置用スペースの長手方向に垂直な鉛直面内において、上記中央支柱側が高くなるように傾斜している
ことを特徴とするものである。
【発明の効果】
【００１１】
本発明は、水耕栽培の持ついくつかの課題を考慮した水耕栽培用プランター用ラックである。
第一の課題は、多段に水耕栽培用プランターを設置した場合に問題となる環境の高さ方向の不均一性である。一番大きな問題となる環境要因は、二酸化炭素濃度である。植物が光合成を行う際に二酸化炭素は必須の物質であり、その濃度管理は極めて重要である。しかし、二酸化炭素は空気よりも重いため床面付近の濃度が高く、高い位置では十分な濃度が得られない。これにより、各段の植物で成長の不均一が生じ、あるいは、上の段ではチップバーン等の障害が生じるといった品質の不均一も起こる。
【００１２】
本発明においては、接地面付近であって、ラックの面内中央近傍に、光源用の電源等の熱源を置くことで、二酸化炭素量の鉛直方向における均一化が図れる。
また、光源用の電源等が扱いやすい位置に設置できることで、設置時の作業の容易化、電源の操作やメンテの容易化という別のメリットも生じる。
【００１３】
第二の課題は、最近の水耕栽培で行われている、成長に応じて養液を入れ替える等の高度な養液制御において、残留養液が発生することである。本発明においては、中央支柱が水耕栽培用プランターの支えとなるため、水耕栽培用プランターの重量により梁が撓み、自然に水耕栽培用プランターがわずかではあるが傾く。これにより、排水時に残留する養液が大幅に減り、新たな養液へのコンタミが減少し、高度な養液の濃度制御を行いやすくなる。
【００１４】
第三の課題は、設備費用と作業性である。一部の特殊な高価な農産物を除き、農業は薄利多売のビジネスであるため、コスト低減と作業性向上は必須である。
本発明の水耕栽培用プランター用ラックは、簡素な骨組みで製作できるため、設備投資の低減が可能である。また、水耕栽培用プランターの底面に適度な傾きを付けることも必要ではないため、箱型の廉価な一般的な養液槽が使用できることも、設備投資の低減に貢献する。
【００１５】
また、簡素な骨組みだけで構成されているので、水耕栽培用プランターへの諸作業が行いやすく、作業性が向上する。水耕栽培用プランター内への栽培プレートの設置や取出し等も容易である。また、視認性が高く、植物の成長も見やすい。
【図面の簡単な説明】
【００１６】
【図１】本発明に係る水耕栽培用プランター用ラックの斜視図である。
【図２】本発明に係る水耕栽培用プランター用ラックの側面図である。
【図３】本発明に係る水耕栽培用プランター用ラックの部分側面図であり、（ａ）は水耕栽培用プランター設置前、（ｂ）は設置後である。
【図４】本発明に係る別の水耕栽培用プランター用ラックの部分側面図であり、（ｂ）は（ａ）の部分拡大図である。
【図５】本発明に係るさらに別の水耕栽培用プランター用ラックの部分側面図である。
【発明を実施するための形態】
【００１７】
本発明に係る水耕栽培用プランター用ラック、および、水耕栽培システムに関して、構成や使用方法等を図面を用いて説明する。なお、以下の説明は本発明に関する良好な一例を開示するものであり、本発明が当該実施の形態に限定されるものではない。
【００１８】
実施の形態．
＜構成＞
図１および図２を用いて、本実施の形態の水耕栽培用プランター用ラックの構成を説明する。
図１は、水耕栽培用プランター用ラックの斜視図である。図２は、図１において、紙面の左側から見た側面図である。
【００１９】
本実施の形態に係る水耕栽培用プランター用ラックは、水平方向に２列、および鉛直方向に複数段のプランター設置用スペースを有し、上記各プランター設置用スペースは、下部に水耕栽培用プランターを設置できるプランター設置棚５と、上部に植物生育用の光源６とを備えている。そして、水平方向の２列は、各プランター設置用スペースの長手方向が略平行に並んでいる。また、各段において、水平方向２列の上記プランター設置用スペース間は連通状態であり、且つ鉛直方向において、水平方向２列の上記プランター設置用スペース間は、接地面より最上段まで連通状態であり、水平方向２列の上記プランター設置用スペース間に１または複数の中央支柱２ａ、２ｂ、２ｃ、２ｄが設けられ、各プランター設置棚５における水耕栽培用プランターの接地面は、上記各プランター設置用スペース５の長手方向に垂直な鉛直面内において、上記中央支柱側が高くなるように傾斜している。
【００２０】
図においては、２列５段の水耕栽培用プランター用ラックを一例として示している。Ｈ１〜Ｈ５の各段に、左右２列のプランター設置用スペースがある。本実施例においては、鉛直方向の段数は５段としているが、複数段であれば、何段でも構わない。
【００２１】
＜プランター設置用スペース＞
図の水耕栽培用プランター用ラックにおいては、２列５段、計１０のプランター設置用スペースが設けられている。各プランター設置用スペースの下部には、プランター設置棚５が、上部には植物生育用の光源６が設けられている。そして、各プランター設置用スペースには、接地面付近に置かれた養液タンク７により養液を循環させるための配管１０や、（図示しない）電源から光源６に電気を供給する（図示しない）電線等が引かれている。
なお、図において、図が煩雑になるのを避けるために、左側のＨ５段のプランター設置用スペースのみに、記号を付しているが、その他のプランター設置用スペースにおいても同様の構成である。
【００２２】
また、水耕栽培用プランターは、極めて特殊なものを除いて、略直方体形状である。プランター設置棚５は、一般的な略直方体形状の水耕栽培用プランターを置けるように略長方形である。そして、水平方向の２列は、各プランター設置用スペースの長手方向が略平行に並んでいる。
【００２３】
＜中央支柱＞
中央支柱２ａ、２ｂ、２ｃ、２ｄは、図２の側面図において、ラックの中央付近に設けられる支柱である。すなわち、水平方向２列のプランター設置用スペース間に設けられる。「水平方向２列のプランター設置用スペース間」とは、だいたい水平方向２列のプランター設置用スペースの間という意味であり、２列のどちらか、あるいは両方のプランター設置用スペースにわずかに掛かる程度であってもよい。
図においては、接地用フレーム１に４本の中央支柱２ａ、２ｂ、２ｃ、２ｄが設けられているが、特に本数や形状は問わない。例えば、ラックの中央に太い支柱を１本だけ立てても良い。
【００２４】
＜骨組み構造＞
図１に示すように、中央支柱２ａと２ｃ間に前後梁３ａが、中央支柱２ｂと２ｄ間に前後梁３ｂが設けられている。そして、前後梁３ａ、３ｂに略垂直に、左右梁４ａ、４ｂ、４ｃが固定されている。
３本の左右梁４ａ、４ｂ、４ｃの上側にはプランター設置棚５が、上側には光源６が固定されている。
前後梁３ａ、３ｂや左右梁４ａ、４ｂ、４ｃは一例であり、中央支柱２ａ、２ｂ、２ｃ、２ｄの一部、あるいはすべてに支持される梁構造であれば、どのような構造でも構わない。
そして、この梁構造により、各プランター設置棚５が略面内方向に支持される。
【００２５】
また、必要に応じて、図２に示す棚補強具８を設けても良い。棚補強具８は必須の構造ではないが、設置する水耕栽培用プランターの重量に応じて設けても良い。
【００２６】
以上のように、中央支柱２ａ、２ｂ、２ｃ、２ｄ、および、前後梁３ａ、３ｂや左右梁４ａ、４ｂ、４ｃといった梁構造により、ラックの骨組みが形成されているため、各段において、水平方向２列の上記プランター設置用スペース間は連通状態であり、且つ鉛直方向において、水平方向２列の上記プランター設置用スペース間は、接地面より最上段まで連通状態である。
ここで、「連通状態」とは、十分に隙間が開いた状態であり、どの場所においても気体が自由に通過し、淀み等がほとんどできない状態である。
【００２７】
＜使用方法＞
次に使用方法について説明する。
まず、接地面付近に養液タンク７を設置し、配管１０や循環ポンプと結合させる。
次に、各プランター設置用スペースの各プランター設置棚５に水耕栽培用プランターを設置する。各水耕栽培用プランターに養液を循環させるための配管１０を結合し、また、電源から光源６に電気を供給する電線等を配線する。
【００２８】
なお、光源６用の電源は、接地面付近であって、ラックの面内中央近傍に置くことが望ましい。
植物生育用の光源６は太陽光の代わりをするためのものであるため、非常に強い照度が必要である。そのため、複数の光源６に電力を供給する電源は大容量の電源であり、発熱量も大きい。通常、電源周囲の温度は５０℃程度まで上昇し、結露の原因となる。結露は細菌の温床となるため、電源は水耕栽培用プランターから離れた位置や、天井近くに設置することが多い。しかし、水耕栽培用プランターから離れた位置や、天井近くに設置すると、日常の操作やメンテナンスに不便である。
【００２９】
本実施の形態の水耕栽培用プランター用ラックの場合、鉛直方向において、水平方向２列の上記プランター設置用スペース間は、接地面より最上段まで連通状態であるので、電源が発生した熱は、ラックの中央付近を通って天井方向に上昇するため、結露の心配がない。
【００３０】
また、電源が発生した熱は、このように、ラックの中央付近に上昇気流を生じさせるので、床面付近に溜まっていた二酸化炭素をラック上部まで運ぶ効果がある。これにより、ラックの上段の水耕栽培用プランターに二酸化炭素を供給できる。
以上のように、接地面付近であって、ラックの面内中央近傍に、光源６用の電源等の熱源を置くことで、二酸化炭素量の鉛直方向（各段）における均一化が図れる。
【００３１】
なお、電源が発生した熱は、十分に分散されるので、結露が発生することはほとんど心配ないが、ラック上方の天井面やラックの最上部等に、念のために乾燥剤を設けても良い。
【００３２】
水耕栽培用プランターについては、養液槽の底部であって短手方向の一端に排水溝や排水栓を設けることが望ましい。
図３に示すように、プランター設置棚５に水耕栽培用プランター９を設置すると、水耕栽培用プランター９の重量によりプランター設置棚５を支持している梁４ａが撓み、プランター設置棚５と水耕栽培用プランター９は、短手方向のラック中央側が高くなるように傾く。
【００３３】
水耕栽培用プランター９がこのように傾いた状態で養液を排水すると、排水の終了間際には、短手方向の低い側に養液が集まり流れる。したがって、水耕栽培用プランター９の養液槽の底部中央等に残る養液はわずかになり、養液の排水が十分に行われる。したがって、新たな異なる養液を入れた際に、前の残留養液の混入を最小限にすることができる。
以上のように、各プランター設置棚５に上記水耕栽培用プランターを設置した際、上記各プランター設置用スペースの長手方向に垂直な鉛直面内において、上記水耕栽培用プランターは上記中央支柱側が高くなるように傾斜していることで、養液の排水を容易に行うことが可能となる。
【００３４】
なお、図４（ａ）に示すように、梁４０ａを予め傾けることで、水耕栽培用プランターが傾くようにしても良い。図４（ｂ）に示す梁４０ａの傾き角度Ａは、０．５°から２°が望ましい。排水時において、養液槽の底部中央等に養液が残らない傾きであると同時に、通常時において、植物に対する養液上面の傾きの影響がほとんど生じない傾きである。
【００３５】
また、図５（ａ）および（ｂ）に示すように、図３と同様に、梁４ａ水平にし、プランター設置棚５内に、傾斜板を配置したり（図５（ａ））、丸棒等を配置しても良い（図５（ｂ））。このようにしても、水耕栽培用プランターは傾く。
以上のように、各プランター設置棚における水耕栽培用プランターの接地面は、上記各プランター設置用スペースの長手方向に垂直な鉛直面内において、上記中央支柱側が高くなるように傾斜しているようにすれば良い。
【００３６】
＜本発明のまとめ＞
本発明は、水耕栽培の持ついくつかの課題を考慮した水耕栽培用プランター用ラックである。
第一の課題は、多段に水耕栽培用プランターを設置した場合に問題となる環境の高さ方向の不均一性である。一番大きな問題となる環境要因は、二酸化炭素濃度である。植物が光合成を行う際に二酸化炭素は必須の物質であり、その濃度管理は極めて重要である。しかし、二酸化炭素は空気よりも重いため床面付近の濃度が高く、高い位置では十分な濃度が得られない。これにより、各段の植物で成長の不均一が生じ、あるいは、上の段ではチップバーン等の障害が生じるといった品質の不均一も起こる。
【００３７】
本発明においては、接地面付近であって、ラックの面内中央近傍に、光源用の電源等の熱源を置くことで、二酸化炭素量の鉛直方向における均一化が図れる。
また、光源用の電源等が扱いやすい位置に設置できることで、設置時の作業の容易化、電源の操作やメンテの容易化という別のメリットも生じる。
【００３８】
第二の課題は、最近の水耕栽培で行われている、成長に応じて養液を入れ替える等の高度な養液制御において、残留養液が発生することである。本発明においては、中央支柱が水耕栽培用プランターの支えとなるため、水耕栽培用プランターの重量により梁が撓み、自然に水耕栽培用プランターがわずかではあるが傾く。これにより、排水時に残留する養液が大幅に減り、新たな養液へのコンタミが減少し、高度な養液の濃度制御を行いやすくなる。
【００３９】
第三の課題は、設備費用と作業性である。一部の特殊な高価な農産物を除き、農業は薄利多売のビジネスであるため、コスト低減と作業性向上は必須である。
本発明の水耕栽培用プランター用ラックは、簡素な骨組みで製作できるため、設備投資の低減が可能である。また、水耕栽培用プランターの底面に適度な傾きを付けることも必要ではないため、箱型の廉価な一般的な養液槽が使用できることも、設備投資の低減に貢献する。
【００４０】
また、簡素な骨組みだけで構成されているので、水耕栽培用プランターへの諸作業が行いやすく、作業性が向上する。水耕栽培用プランター内への栽培プレートの設置や取出し等も容易である。また、視認性が高く、植物の成長も見やすい。
【符号の説明】
【００４１】
１  接地用フレーム
２ａ〜２ｄ  中央支柱
３ａ、３ｂ  前後梁
４ａ〜４ｃ、４０ａ  左右梁
５  プランター接地用棚
６  光源
７  養液タンク
９  水耕栽培用プランター
１０  配管
【図１】
2019103424.tif 000003
【図２】
2019103424.tif 000004
【図３】
2019103424.tif 000005
【図４】
2019103424.tif 000006
【図５】
2019103424.tif 000007